(57)【特許請求の範囲】
【請求項１】
経腸の栄養プローブの可撓性のチューブの漏斗型接続部品への接続のための先端接続部（１１）と、移送システムの可撓性の接続チューブへの接続のための基端接続部（１０）とを中心軸に沿って具備し、この先端接続部（１１）は、それぞれ異なる外径の円錐形、もしくは、それぞれ異なる外径の円筒形を有し、前記中心軸に沿って配置された複数のセクション（１１Ａ、１１Ｂ、１１Ｃ、１１Ｄ）を有する段形状を有し、この結果、種々の栄養プローブの可撓性チューブの、それぞれ異なる内径の複数の漏斗型接続部品への着脱可能な接続が可能となる経腸の移送システムのための接続部品において、
前記複数のセクション（１１Ａ、１１Ｂ、１１Ｃ、１１Ｄ）のうち最先端側のセクション（１１Ｄ）は、他のセクションよりも短い外径を有し、この最先端側のセクション（１１Ｄ）は、円錐台形の先端部（１２Ａ）と、ロッキング部材（１３）を有し、前記先端部（１２Ａ）に続いた後端部（１２Ｂ）とにより形成され、
前記ロッキング部材は、この接続部品が、前記漏斗型接続部品（７）に対して着脱可能に装着されるように、前記漏斗型接続部品のロッキング部材と係合可能なように相補的であり、
このロッキング部材は、種々の栄養プローブの可撓性チューブの、それぞれ異なる内径の複数の漏斗型接続部品に対して、分離可能な接続が可能であるように形成されており、
前記円錐台形の先端部（１２Ａ）は、前記漏斗型接続部品（７）の円錐台形の穴（１４）にシール可能であり、
前記最先端側のセクション（１１Ｄ）のロッキング部材は、後端部（１２Ｂ）に形成された雄ねじ接続部材（１３）を有している、ことを特徴とする、経腸の移送システムのための接続部品。
【請求項２】
前記基端接続部（１０）は、移送システムの相補的な接続部への着脱可能な接続を為すための接続部を形成していることを特徴とする請求項１の経腸の移送システムのための接続部品。
【請求項３】
前記基端接続部は、ルアー・ロック接続部（１０´）であることを特徴とする請求項２の経腸の移送システムのための接続部品。
【請求項４】
請求項１乃至３のいずれか１の接続部品（５）を有する経腸の栄養のための移送システム。
【請求項５】
遠位端部と近位端部とを備えた可撓性の接続チューブ（３）を有しており、前記接続部品（５）の基端接続部（１０）は、可撓性の接続チューブの遠位端部に強固に接続されることを特徴とする請求項４の経腸の栄養のための移送システム。
【請求項６】
請求項４もしくは５の移送システムを具備する集合体において、前記漏斗型接続部品（７、７´）は、移送システム（１）の前記接続部品（５、５´）のロッキング部材（１２Ｂ）に相補的なロッキング部材（１４Ａ、１４Ａ´）を有することを特徴とする、集合体。
【請求項７】
可撓性のプローブチューブ（６）の前記漏斗型接続部品（７、７´）と移送システム（１）の前記接続部品（５、５´）とは、シールするねじ式のコネクターの形態を有することを特徴とする請求項６の集合体。
【請求項８】
可撓性のプローブチューブ（６）の前記漏斗型接続部品（７″′）は、雄ねじ（２８）を備えた接続漏斗部（２０）を有することを特徴とする請求項７の集合体。
【発明の詳細な説明】
【技術分野】
【０００１】
本発明は、経腸の移送システムのための接続部品に関し、この接続部品は、経腸の栄養プローブの可撓性のチューブに属する接続部品への接続のための先端接続部と、移送システムの可撓性の接続チューブへの接続のための基端接続部とを具備する。この他、本発明は、この形式の接続部品を有する経腸の栄養のための移送システムに関する。さらに、本発明は、この形式の移送システムと、この移送システムへの接続のための接続部品を備えた可撓性のプローブチューブを有する経腸の栄養プローブとを具備する集合体に関する。
【背景技術】
【０００２】
経腸の栄養補給において、栄養溶液は、経腸の栄養プローブによって患者に投与される。経腸の栄養溶液は、移送システムと称されているものを通して、経腸の栄養プローブに接続されているコンテナ中で得られる。経腸の移送システムは、基端接続部品と先端接続部品とを備えた可撓性のプローブチューブを有する。前記先端接続部品は、栄養プローブに接続され、前記先端接続部品は、栄養溶液を入れた前記コンテナに接続される。この結果、栄養溶液は、コンテナから、移送システムの接続チューブを通って、栄養プローブへと流れることができる。
【０００３】
栄養溶液のコンテナは、一般的には、１日に数回取り替えられる。移送システムの場合、２４時間ごとにコンテナを取り替えることが薦められる。栄養プローブは、数ヶ月もの間使用することができる。
【０００４】
従来技術において、栄養プローブの可撓性のチューブに移送システムの接続チューブを接続するために使用されてきたものは、既知のルアー・ロック・コネクター（luer lock connectors）であり、これによって、栄養溶液の投与の間に、栄養プローブの可撓性のチューブが、移送システムの接続チューブから意図せずに外れてしまうという危険が無く、移送システムと栄養プローブとは、共に接続されることが可能となる。しかしながら、経腸の投与において、前記既知のルアー・ロック接続は、経腸の投与で使用されるルアー・ロック接続と、特に静脈内への投与や換気技術で使用されるものとが混同される可能性がある限りは、患者に危険を与えるかもしれない。例えば、経腸の栄養溶液が、不注意にも、静脈内に挿入されたルアー・ロック接続を通して投与される場合、患者に大変な危険がある。
【０００５】
従来技術では、経腸の移送システムに雌先端ルアー・ロック接続部品（a female luer lock connecting piece）を与えることによって安全性が高められており、経腸の栄養プローブは、雄ルアー・ロック接続部品（a male luer lock connecting piece）を有する。しかしながら、静脈プローブは、雌ルアー・ロック接続部品を有しており、このため、経腸の移送システムが静脈プローブに直接接続される可能性は、あり得ないだろう。しかしながら、種々の製造業者によって供給される多数の使用可能なルアー・ロック・アダプターのために、混同の可能性は、完全には排除できない。
【０００６】
ルアー・ロック接続部を有する移送システム並びに栄養プローブと同様に、既知のものは、漏斗型の接続部品を有する栄養プローブである。種々の製造業者は、この場合、それぞれ異なる直径を持つ接続漏斗部を有する栄養プローブを提供する。既知の栄養プローブの接続漏斗部への接続が可能となるように、従来技術では、一般的に、ルアー・ロック接続によって移送システムの接続チューブに、着脱可能に接続される既知の段状のアダプターがある。
【０００７】
既知の段状のアダプターは、異なる直径の接続漏斗部への接続を可能にするという効果を有する。段状のアダプターは、栄養プローブの接続漏斗部へ挿し込まれ、このような挿入が為される時、この段状のアダプターの、直径が接続漏斗部の直径と一致するセクションは、前記接続漏斗部と接続する。これら２つのパーツは、この場合、段状のアダプターと接続漏斗部との間の摩擦力によって固定される。
【０００８】
段状のアダプターは、一般的に硬い材料で作られ、接続漏斗部は、力の伝達を改良するために、原則として、比較的軟らかい材料で形成される。欠点は、段状のアダプターと接続漏斗部との間の保持力は、十分には高くないことである。特に、脂肪もしくは油脂を含む栄養溶液が使用されている時、接続が意図せずに外れてしまう危険性がある。接続漏斗部の材料の特性とその形状とに影響を及ぼす老朽化もまた、保持力の減退を引き起こし得る。
【０００９】
経腸の栄養の分野で使用されているねじ接続は、ＷＯ２００５／０５５９１９Ａ１から知られている。この既知のねじ接続は、一般的に使用することができず、適した接続部を有する特定の栄養プローブもしくは移送システムに限定されるという欠点がある。それぞれ異なる直径の複数のセクションを有し、弾性の可撓性のチューブが摺動して入っていく段状の接続部品は、ＵＳ Ａ４６９３７０７から知られている。異なる直径の可撓性のチューブにシールされた接続は、確かにこの既知の段状のアダプターによって為されるが、引っ張り力が与えられると、可撓性のチューブが接続部品から外れてしまう危険性があるという欠点がある。
【００１０】
経腸の栄養の分野で使用されるための段状のアダプターは、ＷＯ０２／０５１４９４Ａ１から知られている。この場合も、栄養プローブの可撓性のチューブが、意図せず外れてしまう危険性がある。
【００１１】
ＵＳ Ａ４６９２１５０は、接続漏斗部を有する可撓性のプローブチューブと段状のアダプターを有する可撓性の接続チューブとを具備する集合体を開示している。段状のアダプターを接続漏斗部中に固定させるために、この公開公報では、２つのパーツが共に接続された後に、連結部上で摺動する固定バンドを使用することが提案されている。このようにして、２つのパーツは共に固定される。固定バンドは、同様に、バクテリアを防ぐための保護としても働くよう意図されている。しかしながら、パーツが共に差し込まれた後に、連結部上で摺動しなければならない追加の固定バンドを使用することで、操作が比較的難しくなるという欠点がある。
【発明の概要】
【００１２】
本発明を強調する目的は、一般的に使用でき、操作が簡単であり、移送システムと栄養プローブとの間で、確実なしかし着脱可能な接続を可能にする、経腸の移送システムのための接続部品を提供することである。本発明の更なる目的は、一般的に使用でき、操作が簡単であり、接続が意図せずに外れてしまうという危険無しに栄養プローブに接続されることが可能な、経腸の栄養のための移送システムを提供することである。同様に、一般的に使用でき、操作が簡単な移送システムと栄養プローブとを具備する集合体と、共に確実に接続されることが可能な栄養プローブと移送システムとを提供することもまた、本発明の目的である。
【００１３】
これらの目的は、本発明との一致を図る上で、請求項１と１２と１４とに挙げた特長によって果たされる。効果的な実施形態は、従属クレームのテーマである。
【００１４】
本発明に関する経腸の移送システムのための接続部は、経腸の栄養プローブの可撓性のチューブに属する接続部品への接続のための先端接続部と、移送システムの可撓性の接続チューブへの接続のための基端接続部とを有する。
【００１５】
前記接続部品の先端接続部は、円錐形のセクションもしくは段状のセクションを有する。この場合、先端接続部の段状のセクションは、円錐形及び／もしくは円筒形の、それぞれ異なる直径を有する複数の肩部を有する。決定的なことは、先端接続部品の円錐形のもしくは段状のセクションが細いことである。この結果、前記先端接続部は、既知の栄養プローブの可撓性のチューブの異なる直径の漏斗型接続部品に、着脱可能に接続されることが可能である。このような場合、本発明に関する接続部品は、一般的に使用されることができる。
【００１６】
本発明に関する接続部品の先端接続部は、経腸の栄養プローブの可撓性のチューブの接続部品への、確実に係合される着脱可能な接続を為すことが可能となるように形成されたロッキング部材を有しており、このとき後者の接続部品は、前記先端接続部のロッキング部材に相補的なロッキング部材を有する。ロッキング部材は、種々のデザインを持ち得る。ロッキング部材と見なされ得るものは、基本的に、確実に係合される着脱可能な接続であり、例えば、ねじ式やプラグ式の接続、また、特に上からはめ込む形式のキャップ、ねじ接合、バヨネット（bayonet）接続などである。
【００１７】
それゆえ、一方では、確実に係合される着脱可能な接続を、経腸の栄養プローブの可撓性のチューブの、前記先端接続部のロッキング部材に相補的なロッキング部材を有する接続部品に為すことは、先端接続部の特別なデザインの特長によって可能であり、他方では、本発明に関する接続部品は、既知の方法によって、漏斗型の、種々の直径を有する、既知の複数の栄養プローブの接続部品に接続されることが可能である。
【００１８】
接続部品が一致しないために、本発明に関する接続部品は、経腸の通路には使用されないルアー・ロック接続と混同する可能性を排除するという効果がある。
【００１９】
本発明に関する接続部品は、相補的なロッキング部材を有する栄養プローブを接続するために使用される場合、前記接続部品は、簡単に着脱でき、意図せずに外れてしまうことの無い、確実な摩擦性の係合によって、接続を果たす。
【００２０】
本発明に関する接続部品の一般的な使用によって、別の栄養プローブの用意と複数の移送システムとにかかる経費は削減される。また、接続漏斗部を有する既知の栄養プローブから相補的なロッキング部材を有する栄養プローブへの転換に関して起こる問題が少なく、これは、従来の栄養プローブが、少なくとも一定の期間、続けて接続されることが可能となるからである。
【００２１】
本発明に関する接続部材は、既知のルアー・ロック・コネクターの効果と、確実に係合はしないが漏斗型接続部と段状のアダプターもしくは円錐形のアダプターとの間の摩擦のみによる既知の接続の効果とを、両者の欠点無しに、組み合わせる。
【００２２】
本発明に関する好ましい実施形態では、先端接続部の前方の、最も小さな直径を有するセクションは、ロッキング部材を形成している。この実施形態では、栄養プローブと移送システムとの接続部品のシールは、特に先端接続部の端面で生じ、この接続部は、接続部品の端面に対してシールし、支持する。しかしながら、基本的に、ロッキング部材は、円錐形か種々のセクションによる段状のどちらかである先端接続部の、後方もしくは中間の領域に設けられることも可能である。
【００２３】
他の、特に好ましい実施形態では、先端接続部品の前方のセクションは、接続円錐部を形成しており、この接続円錐部から続く先端接続部のセクションは、ロッキング部材を形成している。この場合、接続部の接続円錐部が、栄養プローブの接続部品の、対応する円錐形の穴に係合することによって、シールが生じる。
【００２４】
どちらの場合でも、シールされ、しかし簡単に着脱可能な接続は、栄養プローブの可撓性のチューブと移送システムの可撓性の接続チューブとの間で為される。
【００２５】
特別の実施形態は、ねじ接続部材、好ましくは雄ねじを有する円筒形もしくは円錐形の部材を、先端接続部のロッキング部材に与えている。しかしながら、ねじ接続部材は、雌ねじを有する可能性もある。例えば、円筒形のセクションには、らせん状に延びたリブ、もしくは、らせん状の溝が形成され得る。このセクションは、円錐形であっても良く、この場合、リブの高さもしくは溝の深さは、このセクションの全長にわたる寸法であり、このため、それぞれリブの上面もしくは溝の底面と、円筒形もしくは円錐形の軸との間の距離は、このセクションの全長にわたり、同一であり続ける。かくして、前記プローブの可撓性のチューブの接続部品は、どちらの形であっても、相補的である。
【００２６】
更なる実施形態は、先端接続部のロッキング部材がバヨネット接続部材を形成する。バヨネット形式（bayonet-type）の接続部材は、好ましくは、周面に、好ましくは軸方向に延びているセクションを有する溝を備えた円筒形の接続部材であり、この溝のセクションからは、その周面の一部の周りに延びているセクションが続く。しかしながら、円筒形の接続部材は、溝に係合する突出部を有する、前述の形状に相補的なバヨネット形式の接続部材であることも可能である。  
基本的に、バヨネット接続として当業者に知られている接続技術のいかなるものも、使用可能である。バヨネット形式の接続部材は、基本的に、先端接続部の後方もしくは中間もしくは前方の領域に設けられることができる。この結果、可撓性のプローブチューブの接続部品は、このとき、どの場合であっても相補的に形成される。
【００２７】
他の、特に好ましい実施形態では、先端接続部のロッキング部材は、先端接続部の段状もしくは円錐形のセクションでの接続部材を形成しておらず、雌ねじを有するねじキャップを形成している。このねじキャップは、その全長の少なくとも一部に先端接続部の円錐形セクションを含み、また、先端接続部が円錐形のセクションの代わりに段状のセクションを有する場合、その全長の少なくとも一部に段状のセクションを含む。ねじキャップは、先端接続部の一体的な部分であっても良く、もしくは、先端接続部の軸を中心に回転可能であっても良い。
【００２８】
ねじキャップの代わりに設けられ得るものは、可撓性のプローブチューブの接続部品が適合するように挿入されるキャップである。このキャップは、例えば留め金（a clamping action）や掛け金（a latching action）によって可撓性のプローブチューブの接続部品に固定され得る。
【００２９】
キャップは、またバヨネット形式の接続部の形態をとることが可能であり、この場合、溝に係合するバヨネット形式の接続の突出部、もしくは溝が、先端接続部に形成され得る。
【００３０】
先端接続部品の種々の実施形態では、可撓性のプローブチューブの接続部品は、相補的な形状を有していることが自明である。例えば、可撓性のプローブチューブの接続部品が接続漏斗部を形成している場合は、ねじ接続のための雄ねじが、もしくはバヨネット形式の接続の相補的な対のパーツとなるものは何であれ、漏斗部の外側に設けられ得る。
【００３１】
本発明に関する接続部品の基端接続部は、移送システムの相補的な接続部への着脱可能な接続を為すための接続部、特にルアー・ロック接続部を形成する。この方法では、本発明に関する接続部品は、既知のルアー・ロック接続部に接続された既知の段状のアダプターと同じ方法で、操作および使用されることが可能である。しかしながら、好ましくは、本発明に関する接続部品は、栄養プローブの可撓性のチューブに直接的に、例えば接着結合および／もしくは溶接によって、接続されている。
【００３２】
本発明に関する移送システムは、本発明に関する接続部品と経腸の移送システムとを具備しており、この場合、本発明に関する接続部品は、経腸の移送システムのルアー・ロック接続部のためのアダプターを形成することが可能であり、もしくは、経腸の移送システムの可撓性の接続チューブに強固に接続されることが可能である。
【００３３】
本発明に関する集合体は、本発明に関する移送システムと経腸の栄養プローブとを具備しており、この栄養プローブは、本発明に関する移送システムの接続部品に接続されることが可能である。
【図面の簡単な説明】
【００３４】
【図１】移送システムと経腸の栄養プローブとを具備する集合体を示している。
【図２ａ】図１の移送システム並びに栄養プローブの接続部品の拡大図であり、この移送システムと栄養プローブとの間の接続を為す前の様子を示している。
【図２ｂ】図１の移送システム並びに栄養プローブの接続部品の拡大図であり、この移送システムと栄養プローブとの間の接続を為した後の様子を示している。
【図３ａ】図１に示されている前記移送システムの接続部品と前記栄養プローブの漏斗型の接続部品との拡大図であり、前記移送システムと前記栄養プローブとの間の接続を為す前の様子を示している。
【図３ｂ】図１に示されている前記移送システムの接続部品と前記栄養プローブの漏斗型の接続部品との拡大図であり、前記移送システムと前記栄養プローブとの間の接続を為した後の様子を示している。
【図４ａ】図１に示されている前記移送システムの接続部品と別の前記栄養プローブの漏斗型の接続部品とを示しており、後者の接続部品は、図３ａ、図３ｂに示されている栄養プローブの接続部品よりも小さな直径を持つ。
【図４ｂ】図１に示されている前記移送システムの接続部品と別の前記栄養プローブの漏斗型の接続部品とを示しており、後者の接続部品は、図３ａ、図３ｂに示されている栄養プローブの接続部品よりも小さな直径を持つ。
【図５ａ】前記移送システムの接続部品の他の実施形態を示している。
【図５ｂ】前記栄養プローブの接続部品の他の実施形態を示している。
【図６】前記移送システムの接続部品の更なる他の実施形態を示している。
【図７】前記移送システムの接続部品の更なる他の実施形態を示している。
【図８ａ】図1に示されている前記栄養プローブの接続部品の拡大図であり、接続部品とアダプターとの間の接続を為す前の様子を示している。
【図８ｂ】図1に示されている前記栄養プローブの接続部品の拡大図であり、接続部品とアダプターとの間の接続を為した後の様子を示している。
【図９】可撓性のプローブチューブの接続部品と共に本発明に関する接続部品の更なる実施形態を示している。
【図１０】前記可撓性のプローブチューブの接続部品と共に本発明に関する接続部品の他の様態の実施形態を示している。
【発明を実施するための形態】
【００３５】
本発明の種々の実施形態は、図を参照して以下に詳しく説明されている。
【００３６】
図1は、経腸の栄養のための移送システム１と経腸の栄養プローブ２とを具備する集合体を簡略して示している図であり、これら移送システム１と栄養プローブ２は、経腸の栄養溶液を経腸の栄養溶液コンテナ（図示されていない）から患者に投与することを可能にするために、共に接続されている。
【００３７】
前記経腸の移送システムと前記栄養プローブとは、当業者に知られているので、本説明は、本発明に関連するパーツに本質的に制限されている。
【００３８】
移送システム１は、このシステムの近位端部に基端接続部品４を、且つ遠位端部に先端接続部品５を備えた可撓性の接続チューブ３を有する。基端接続部品４は、この移送システム１を栄養溶液コンテナ（図示されていない）に接続するために使用され、一方で先端接続部品５は、栄養プローブ２の接続のために使用される。
【００３９】
栄養プローブ２は、このプローブの近位端部に基端接続部品７と、このプローブの遠位端部に患者へとつながる端部部品８とを備えた可撓性のチューブ６を有する。栄養プローブ２の前記基端接続部品７は、移送システム１の先端接続部品５に接続されている。
【００４０】
以下には、移送システム１の複数の前記接続部品の種々の実施形態が、詳しく説明されている。
【００４１】
図２ａ並びに図２ｂは、移送システム１の基端接続部品５と栄養プローブ２の先端接続部品７との、第１の実施形態の拡大図である。図２ａは、これら接続部品が共にねじ留めされる前の様子を示しており、図２ｂは、これら接続部品が共にねじ留めされた後の様子を示している。
【００４２】
先端接続部品５は、射出成形によって形成された、プラスチック材の管状の部品である。この接続部品中に形成されている流路９は、破線で示されている。先端接続部品５は、図２ａ並びに図２ｂにおいて前記接続部品の左側の分割部である基端接続部１０を有している。移送システムの可撓性の接続チューブ３の前記遠位端部は、この基端接続部１０に強固に接続されている。このために、前記可撓性の接続チューブは、例えば、この基端接続部１０の穴に挿入され得、そして、前記接続部に接着剤結合および／もしくは溶接され得る。
【００４３】
栄養プローブを接続させておくことを可能にするために、移送システム１の前記接続部品は、図２ａ並びに図２ｂにおいて前記接続部品の右側の分割部である先端接続部１１を有している。この先端接続部１１は、本実施形態では、それぞれ直径が異なる合計４つのセクション１１Ａ、１１Ｂ、１１Ｃ、１１Ｄを有する段状の小支部であり、これらのセクションの直径は、前端に向かうに従って徐々に小さくなっている。前方のセクション１１Ｄは、後方のセクション１１Ａ、１１Ｂ、１１Ｃの約倍の長さである。
【００４４】
前記前方のセクション１１Ｄは、前方の円錐形の分割部１２Ａと、雄ねじ１３が形成されている後方の円筒形の分割部１２Ｂとを有する。前記円錐形の分割部は、栄養プローブ２の基端接続部品７の対応する円錐形の穴に摺動して入っていくことが可能な接続円錐部を形成している。前記雄ねじ１３を有する前記円筒形の分割部１２Ｂは、ロッキング部材を形成しており、この結果、前記栄養プローブ２の前記接続部品７に属する相補的なロッキング部材との確実な係合が可能となる。栄養プローブ２の接続部品７は、同様に、射出成形によって形成された、プラスチック材の管状の部品である。この接続部品７は、円筒形の前方セクション１４Ａと、わずかに円錐形の後方セクション１４Ｂとを備えた、破線で示された穴１４を有する。接続部品７の穴１４の前記円筒形の前方セクション１４Ａは、破線で示されており、接続部品５の雄ねじ１３に対応する雌ねじ１５を有する。そして、この円筒形の前方セクション１４Ａは、接続部品５の円筒形の分割部１２Ｂの外径に対応する直径を有している。前記穴１４の円錐形の後方セクション１４Ｂは、接続部品５の円錐形の分割部１２Ａに対応する円錐形を有する。
【００４５】
接続部品７の前記穴１４に続いているのは、比較的小さな直径の分割部１６Ａと比較的大きな直径の分割部１６Ｂとを有する穴１６である。栄養プローブ２の可撓性の接続チューブ６は、前記分割部１６Ｂ中に位置しており、この接続チューブ６は、好ましくは、接続部品７に接着結合および／もしくは溶接されている。
【００４６】
移送システム１と栄養プローブ２との間の接続を為すために、移送システムの接続部品５と栄養プローブの接続部品７とは、共に接続され、互いにねじ留めされている。この接続が為された時には、ねじ留めされた前記接続は、前記接続部品が意図せずに緩んでしまうのを防ぎながら、前記円錐形の分割部１２Ａの外周面は、前記円錐形の後方セクション１４Ｂの内周面にシールする。また、摩擦性であり確実な係合である前記接続は、老朽化しにくいという効果がある。これは、材料のいかなる疲労や摩滅も、長い期間を経てのみ影響を及ぼすからである。
【００４７】
摩擦性と確実な係合とを兼ね備える接続は、接続部品５と接続部品７とによって為される。接続部品５の前記前方のセクション１１Ｄに大きな直径が選択され、この接続部品が、そもそも経腸の栄養のために用いられるものではないカテーテルの雌ルアー・コネクター（the female Luer connectors）と互換できないほどであるならば、いかなる取り違えもあり得ないだろう。
【００４８】
移送システム１の接続部品５は、図２ａ並びに図２ｂを参照して説明された適合する既知の栄養プローブ２の接続部品７のみに接続できるのではなく、既知の栄養プローブの種々の直径を有する漏斗型の接続部品にもまた接続できるという効果がある。
【００４９】
図３ａ並びに図３ｂは、移送システムの接続部品５の、既知の栄養プローブ２´の漏斗型の接続部品への接続を示している。前記漏斗型の接続部品１７は、破線で示されている漏斗型の穴１８を有する。接続部品５と接続部品１７とは、接続部品５が接続部品１７の前記漏斗型の穴１８中に堅く据え付けられるまで、共に接続される。この接続が為されると、前記セクション１１Ａ、１１Ｂ、１１Ｃ、１１Ｄの少なくとも１つの周面は、前記漏斗型の穴１８の周面にシールする。しかしながら、ねじ留めされた前記接続と比較すると、この接続は、引っ張り力が加わると、これらの接続部品が意図せずに緩む可能性があるという欠点を持つ。
【００５０】
図４ａ並びに図４ｂは、移送システム１の接続部品５が、図３ａ並びに図３ｂに示されている栄養プローブの接続部品１７とは異なる寸法の、既知の栄養プローブ２″の漏斗型の接続部品１７´にも接続可能であることを明らかにしている。この栄養プローブ２″は、栄養プローブ２´よりも小さい接続部品１７´を有する。例えば、既知の小児科用プローブは、この形式の接続部品１７´を有する。図４ａ並びに図４ｂに示されている接続では、接続部品５の円錐形の分割部１２Ａは、接続部品１７´の漏斗型の穴１８´中に据え付けられる。
【００５１】
図５ａ並びに図５ｂは、前記接続部品の前方のセクション１１Ｄが前記円錐形の分割部１２Ａを有さず、前記雄ねじ１３を備えた前記円錐形の分割部１２Ｂのみを有するという点においてのみ、図２ａ並びに図２ｂを参照して説明された実施形態とは異なる、移送システム１の接続部品５´の更なる実施形態を示している。接続部品５と接続部品５´とは、その他の点では同じである。このため、互いに対応する部品は、同じ参照符号により示されている。移送システム１の接続部品５´は、栄養プローブの接続部品７´に接続されており、この接続部品７´は、図５ｂに示されている。この接続部品７´は、穴１４´が雌ねじ１５を備えた分割部１４Ａ´のみを有し、前記円錐形の分割部を有していないという点で、図２ａ並びに図２ｂに示されている接続部品７と異なる。しかしながら、接続部品５´は、図２ａ並びに図２ｂに示されている接続部品７にねじ留めされることもまた、基本的には可能である。
【００５２】
図５ａ並びに図５ｂに示されている実施形態では、シールは、可撓性のプローブチューブ６上の接続部品７´の端面と移送システム１の接続部品５´の端面とを、これらの接続部品が共にねじ留めされている時に、一緒に押圧することによって為される。しかしながら、前記シールは、ねじを用いて為されることもまた、基本的には可能である。
【００５３】
図６は、移送システム１の接続部品５″の更なる実施形態を示しており、この実施形態は、次の２点において、図２ａ並びに図２ｂに示されている実施形態とは異なる。まず、円筒形の分割部１２Ｂ´は、バヨネット形式の接続部材で形成されており、この円筒形の分割部の周面には、雄ねじ１３の代わりに溝１３´が形成されている。そして、この溝１３´は、軸方向に延びているセクション１３Ａを有し、このセクション１３Ａからは、前記周面の周りの一部に延びているセクション１３Ｂが続いている。接続部品５″は、摩擦と確実な係合とによって栄養プローブの接続部品と接続されることが可能であり、ここでいう接続部品は、雌ねじを有する代わりに、穴の内周面に、前記溝１３´と係合する突出部を有している。このように接続するために、前記移送システム並びに前記栄養プローブのこれらの接続部品は、まず互いに摺動され、そして互いに回動される。
【００５４】
図７は、移送システム１の接続部品５″′の更なる実施形態を示しており、この実施形態は、移送システム１の可撓性の接続チューブ３の先端に対応する前記基端接続部１０が、可撓性の接続チューブが強固に接続された、例えば溶接もしくは接着結合された接続部を形成しておらず、ルアー・ロック接続部１０´を形成しているという点において、図５ａに示されている実施形態とは異なる。このルアー・ロック接続部１０´には、移送システムの可撓性の接続チューブの先端の相補的なルアー・ロック接続部が、接続可能である。この形式の相補的なルアー・ロック接続部は、雄ルアー・ロック接続部並びに雌ルアー・ロック接続部と称されており、当業者には一般的に知られている。
【００５５】
図２ａ並びに図２ｂに示されている接続部品７を有する栄養プローブを利用し、また、本発明に関する接続部品が移送システムに利用されない場合、通常の接続部品を有する移送システムは、図８ａ並びに図８ｂに示されているアダプター１９が使用されるならば、栄養プローブの接続部品７に接続されることが可能である。前記アダプター１９は、既知の栄養プローブのアダプターに対応する漏斗型の部分１９Ａと、前記雄ねじ１３を備えた円筒形のセクション１２Ｂと円錐形のセクション１２Ａ（図２ａと図２ｂ参照）とを有する前記前方の分割部１１Ｄに対応する円筒形の部分１９Ｂを有する。前記アダプター１９が接続部品７にねじ留めされるならば、前記栄養プローブは、通常の接続部品を有する既知の移送システムに接続されることが可能である。
【００５６】
図９は、可撓性のプローブチューブの接続部品と共に、移送システムの本発明に関する接続部品の更なる実施形態を示し、部分的に断面で示された図である。図７に示されている実施形態に見られるように、移送システムの接続部品５″″は、この移送システムの可撓性の接続チューブの先端の接続のために、ルアー・ロック接続部１０´を有する。図９に示されている実施形態の、図７に示されている実施形態と異なる点は、ロッキング部材１１として形成されている最も小さい直径のセクションが、雄ねじ１３を備えた円筒形の接続部材１２Ｂのみでなく、この接続部材から続く先端の接続円錐部１２Ａもまた有するという点である。
【００５７】
可撓性のプローブチューブの接続部品７″は、第１の接続漏斗部２０を有しており、この第１の接続漏斗部２０から第２の接続漏斗部２１が分岐している。前記第１の接続漏斗部２０は、移送システムの接続部品５″″の接続のために使用される。前記第２の接続漏斗部２１は、図９には示されていないが、更なる接続部の接続のために使用される。ブリッジ２４、２５によって接続部品に一体的に形成された閉鎖キャップ２２、２３は、これらの接続漏斗部が閉じられることが可能となるように設けられている。図９には、移送システムの接続部品５″″の段状のセクションは、可撓性のプローブチューブの接続部品７″の第１の接続漏斗部２０に、シールするようにして位置されることが示されている。
【００５８】
図１０は、可撓性のプローブチューブの接続部品７″′と共に本発明に関する接続部品２７の他の実施形態の断面図であり、この接続部品７″′は、２つの接続漏斗部２０、２１を有する。この接続部品７″′は、図１０に示されている第１の接続漏斗部２０が雄ねじ２８を有する点を除いて、図９に示されている接続部品７″と一致する。図１０に示されている実施形態は、前記接続部品２７に前記移送システムの可撓性のチューブ状のラインが接続されていることに関して、図９に示されている実施形態と異なる。
【００５９】
前記接続部品２７は、移送システムの可撓性のチューブ状のラインのための基端接続部として、当業者に知られているルアー・ロック接続部１０´を有する。このルアー・ロック接続部１０´に続いて、前記第１の接続漏斗部２０に接続されている先端接続部１１´がある。
【００６０】
この実施形態では、この先端接続部１１´は、段状のセクションを有しておらず、小さい直径の接続円錐部３０に合流する大きい直径の円錐形セクション２９を有する。前記接続先端部のこの円錐形のセクション２９は、前記第１の接続漏斗部２０の比較的大きな内径の上側のセクションに位置しており、円錐形の接続円錐部３０は、この接続漏斗部２０の比較的小さな内径の下側のセクションに位置している。この結果、これら２つのパーツは、互いにシールする。
【００６１】
前記接続部品２７を接続漏斗部２０に固定させるために、先端接続部１１´は、この実施形態でも、ロッキング部材を有する。この実施形態では、このロッキング部材は、雌ねじ３２を備えたねじキャップ３１を形成しており、このねじキャップ３１は、このねじキャップの全長の一部にわたって、前記接続部品２７の円錐形のセクション２９が含まれる。このねじキャップ３１は、接続漏斗部２０にねじ留めされることができ、これら２つのパーツは、この結果、着脱可能に互いに接続される。
【図１】
0005410287.tif 000002
【図２ａ】
0005410287.tif 000003
【図２ｂ】
0005410287.tif 000004
【図３ａ】
0005410287.tif 000005
【図３ｂ】
0005410287.tif 000006
【図４ａ】
0005410287.tif 000007
【図４ｂ】
0005410287.tif 000008
【図５ａ】
0005410287.tif 000009
【図５ｂ】
0005410287.tif 000010
【図６】
0005410287.tif 000011
【図７】
0005410287.tif 000012
【図８ａ】
0005410287.tif 000013
【図８ｂ】
0005410287.tif 000014
【図９】
0005410287.tif 000015
【図１０】
0005410287.tif 000016